(57)【要約】【解決手段】導電板部材１のフック部１ｃの下部水平板部１ｃ２に挿入される角筒状リング金具２と、前記導電板部材の水平板部１ａに穿設された透孔１ａ１に挿入されるとともに、前記角筒状リング金具の天部２ａに形成されたネジ孔２ａ１に螺合されたネジＳとを有する端子装置において、圧着端子６を介して外部ケーブルＷが接続されている係止部材５が、前記導電板部材に接続された際には、前記係止部材のブロック基部５ａが、前記導電板部材と前記角筒状リングとにより挟持されているとともに、前記係止部材の係止凸条５ｂが、前記角筒状リング金具に係止されるように構成したものである。【効果】係止部材の係止凸条が、角筒状リングに係止されているので、圧着端子を介して外部ケーブルが接続されている係止部材が、端子装置本体から引き抜かれるようなことを防止することができる。【選択図】図１３
2009283166.tif 000002
【特許請求の範囲】
【請求項１】
導電板部材のフック部の下部水平板部に挿入される角筒状リング金具と、前記導電板部材の水平板部に穿設された透孔に挿入されるとともに、前記角筒状リング金具の天部に形成されたネジ孔に螺合されたネジとを有する端子装置において、圧着端子を介して外部ケーブルが接続されている係止部材が、前記導電板部材に接続された際には、前記係止部材のブロック基部が、前記導電板部材と前記角筒状リングとにより挟持されているとともに、前記係止部材の係止凸条が、前記角筒状リング金具に係止されるように構成されていることを特徴とする端子装置。
【発明の詳細な説明】
【技術分野】
【０００１】
本発明は、端子台に配設された接続端子に、外部ケーブルを接続するための端子装置に関するものである。
【背景技術】
【０００２】
図１８を用いて、従来の端子装置について説明する。
【０００３】
Ｃ’は、箱状体ｃ１’と該箱状体ｃ１’に嵌合される蓋体ｃ２’とからなる端子台本体であり、端子台本体Ｃ’内には、水平部５０ａと、該水平部５０ａの一端から下方に延在する垂直部５０ｂと、該垂直部５０ｂの下端から、水平部５０ａに略平行に延在する下部折り返し部５０ｃとからなる、板材を屈曲することにより形成された導電板部材５０が配設されている。また、導電板部材５０の水平部５０ａには、ネジ孔５０ａ’が穿設されているとともに、箱状部ｃ１’の側壁ｃ３’には、透孔ｃ４’が穿設されている。
【０００４】
６０は、導電性の角筒状リング金具であり、角筒状リング金具６０の上部水平部６０ａには、ネジ孔６０ａ’が穿設されている。
【０００５】
導電板部材５０の下部折り返し部５０ｃに、角筒状リング金具６０を挿入した後、導電板部材５０の水平部５０ａに穿設されたネジ孔５０ａ’と角筒状リング金具６０の上部水平部６０ａに穿設されたネジ孔６０ａ’とに、ネジＳ’を螺合することにより、導電板部材５０に、角筒状リング金具６０が取り付けられている。
【０００６】
外部ケーブルＷ’の先端部分の絶縁材からなる外被を剥離することにより露出された導電線部分ｗ１’を、箱状部ｃ１’の側壁ｃ３’に穿設された透孔ｃ４’に挿入した後、導電線部分ｗ１’を、導電板部材５０の下部折り返し部５０ｃと角筒状リング金具６０の下部水平部６０ｂとの間に配置し、その後、ネジＳ’を回転させて、角筒状リング金具６０を上動させることにより、導電線部分ｗ１’を、導電板部材５０の下部折り返し部５０ｃと角筒状リング金具６０の下部水平部６０ｂとにより挟持し、外部ケーブルＷ’を、角筒状リング金具６０を介して、端子台本体Ｃ’内に配設された導電板部材５０に接続することができるように構成されている。
【０００７】
上述したような構成を有する端子装置は、一例として、特許文献１に開示されている。
【０００８】
【特許文献１】特開平５−２４２７８９号公報
【発明の開示】
【発明が解決しようとする課題】
【０００９】
上述した端子装置においては、外部ケーブルＷ’の導電線部分ｗ１’が、導電板部材５０の下部折り返し部５０ｃと角筒状リング金具６０の下部水平部６０ｂとにより挟持されているだけであるので、導電線部分ｗ１’が、導電板部材５０と角筒状リング金具６０との挟持部から抜け出るという問題があった。
【００１０】
また、上述した導電線部分ｗ１’が、導電板部材５０と角筒状リング金具６０との挟持部から抜け出ることを防止するために、端子台本体Ｃ’や該端子台本体Ｃ’内に配設された導電板部材５０の構造を変更することも考えられるが、既に設置されている既存の端子装置の取り替え作業に、多大の費用と労力と時間とを要することになる。
【００１１】
本発明の目的は、上述した従来の端子装置が有する課題を解決することにある。
【課題を解決するための手段】
【００１２】
本発明は、上述した課題を解決するために、導電板部材のフック部の下部水平板部に挿入される角筒状リング金具と、前記導電板部材の水平板部に穿設された透孔に挿入されるとともに、前記角筒状リング金具の天部に形成されたネジ孔に螺合されたネジとを有する端子装置において、圧着端子を介して外部ケーブルが接続されている係止部材が、前記導電板部材に接続された際には、前記係止部材のブロック基部が、前記導電板部材と前記角筒状リングとにより挟持されているとともに、前記係止部材の係止凸条が、前記角筒状リング金具に係止されるように構成したものである。
【発明の効果】
【００１３】
導電板部材のフック部の下部水平板部に挿入される角筒状リング金具と、導電板部材の水平板部に穿設された透孔に挿入されるとともに、角筒状リング金具の天部に形成されたネジ孔に螺合されたネジとを有する端子装置において、圧着端子を介して外部ケーブルが接続されている係止部材が、導電板部材に接続された際には、係止部材のブロック基部が、導電板部材と角筒状リングとにより挟持されているとともに、係止部材の係止凸条が、角筒状リング金具に係止されるように構成したので、外部ケーブルに、係止部材を、端子装置本体から引き抜くような外力が加わっても、係止部材の係止凸条が、角筒状リングに係止されているので、圧着端子を介して外部ケーブルが接続されている係止部材が、端子装置本体から引き抜かれるようなことを防止することができる。
【実施例】
【００１４】
先ず最初に、図１を用いて、本実施例の全体構成について説明する。
【００１５】
Ｃ１は、箱状体であり、Ｃ２は、蓋体であり、箱状体Ｃ１と蓋体Ｃ２とにより、端子台本体Ｃが構成されている。１は、一対の導電板部材であり、２は、導電材で形成された角筒状リング金具であり、３は、一対の導電板部材１間に配設された、素子の一例としての保安器であり、４は、箱状部Ｃ１内に配置される規制板であり、Ｗは、外部ケーブルであり、５は、係止部材である。
【００１６】
次に、図２及び図３を用いて、端子台本体Ｃを構成する箱状体Ｃ１及び蓋体Ｃ２について説明する。
【００１７】
箱状体Ｃ１は、底部ｃ１と相対する長側壁ｃ２と相対する短側壁ｃ３とにより箱状に形成されている。
【００１８】
長側壁ｃ２の内側上端には、横長の薄肉突片ｃ４が突設されており、薄肉突片ｃ４には、複数の水平スリットｃ４ａが穿設されているとともに、一方の長側壁ｃ２の両端付近の内壁面には、それぞれ、垂直凸条ｃ２ａが突設されており、もう一方の長側壁ｃ２の両端付近の内壁面にも、それぞれ、垂直凸条ｃ２ａが突設されている。そして、一方の長側壁ｃ２の両端付近の内壁面に突設された垂直凸条ｃ２ａともう一方の長側壁ｃ２の両端付近の内壁面に突設された垂直凸条ｃ２ａとは、互いに対向するように構成されている。
【００１９】
短側壁ｃ３の内壁面の中央部には、所定の長さを有する垂直板ｃ５が形成されているとともに．長側壁ｃ２と垂直板ｃ５と間に位置する短側壁ｃ３には、方形状の窓部ｃ３ａが穿設されている。なお、短側壁ｃ３の内壁面に形成された垂直板ｃ５の垂直先端縁ｃ５ａと、長側壁ｃ２の内壁面に形成された垂直凸条ｃ２ａの相対する側面のうち、短側壁ｃ３の内壁面と対向する側面ｃ２ａ’との間には、長側壁ｃ２側から見て、上述した規制板４の厚さｄ１と略同じ間隙が形成されるように構成されている。
【００２０】
蓋体Ｃ２は、天部ｃ１０と相対する長側壁ｃ１１と相対する短側壁ｃ１２とから形成されており、本実施例には、天部ｃ１０の中央部領域に、上方に膨出した凸状部ｃ１０ａを形成し、端子台本体Ｃの内容積を増加させた例が示されているが、このような凸状部ｃ１０ａを省略し、天部ｃ１０を平坦に形成することもできる。また、短側壁ｃ１２付近に位置する天部ｃ１０には、短側壁ｃ１２に沿って、一対の透孔ｃ１０ｂが穿設されており、更に、長側壁ｃ１１の下端縁付近の内壁面には、蓋体Ｃ２を箱状体Ｃ１に被蓋させた際に、上述した長側壁ｃ２に形成された薄肉突片ｃ４に穿設された水平スリットｃ４ａに嵌合される水平嵌合凸条ｃ１１ａが突設されている。
【００２１】
次に、図４を用いて、導電板部材１及び角筒状リング金具２等について説明する。
【００２２】
導電板部材１は、方形状の水平板部１ａと該水平板部１ａの相対する端縁のうち、一方の端縁から下方に延在する方形状の素子取付け用の垂直板部１ｂとを有している。また、水平板部１ａの相対する端縁のうち、もう一方の端縁には、一対のフック部１ｃが形成されている。フック部１ｃは、水平板部１ａの相対する端縁のうち、もう一方の端縁から下方に延在する連結垂直板部１ｃ１と、該連結垂直板部１ｃ１の下端から、水平板部１ａに垂設された垂直板部１ｂ方向に延在する下部水平板部１ｃ２とを有しており、下部水平板部１ｃ２は、垂直板部１ｂの高さ方向の中程に位置するように構成されている。また、フック部１ｃを形成する下部水平板部１ｃ２の上方に位置する水平板部１ａには、ネジＳのネジ部ｓ１が挿入可能な透孔１ａ１が穿設されている。更に、水平板部１ａの透孔１ａ１付近に位置する相対する側端縁には、相対するように、切欠き１ａ２が形成されている。
【００２３】
一対の導電板部材１の相対する垂直板部１ｂに挟持されるように、相対する垂直板部１ｂに、素子の一例としての保安器３が配設されている。
【００２４】
角筒状リング金具２は、天部２ａと底部２ｂと相対する側部２ｃとから形成されており、天部２ａには、ネジ孔２ａ１が形成されている。
【００２５】
次に、図４及び図５を用いて、導電板部材１への角筒状リング金具２の組み付けについて説明する。
【００２６】
先ず最初に、導電板部材１を構成するフック部１ｃの下部水平板部１ｃ２に、角筒状リング金具２を挿入するとともに、角筒状リング金具２の天部２ａを、フック部１ｃの下部水平板部１ｃ２に載置する。次いで、導電板部材１を構成する水平板部１ａに穿設されている透孔１ａ１に、ネジＳのネジ部ｓ１を挿入するとともに、ネジ部ｓ１を、角筒状リング金具２の天部２ａに形成されているネジ孔２ａ１に螺合させることにより、図５に示されているように、角筒状リング金具２を、導電板部材１に取り付ける。その後、一対の導電板部材１の相対する垂直板部１ｂに、素子の一例としての保安器３の端子を、鑞接やボルト等の適当な固着手段により配設する。このようにして、一対の導電板部材１と４つの角筒状リング金具２と４つのネジＳと適当な素子とからなる端子装置本体Ｔ１が組み立てられることになる。なお、導電板部材１に、角筒状リング金具２を取り付ける前に、一対の導電板部材１の相対する垂直板部１ｂ間に、素子を配設し、その後、導電板部材１に、角筒状リング金具２を取り付けることもできる。
【００２７】
次に、図６を用いて、規制板４について説明する。
【００２８】
規制板４は、方形状の板材本体４ａと、該板材本体４ａの上端縁の両端部に突設された規制突起４ｂと、板材本体４ａの略中央部に穿設された、一対の横長の嵌合スリット４ｃとから形成されており、一対の横長の嵌合スリット４ｃは、互いに、水平方向に並設されている。なお、規制板４の幅ｄ２は、導電板部材１の幅ｄ３と略同じに形成されている。
【００２９】
次に、図７及び図８を用いて、係止部材５等について説明する。
【００３０】
導電性金属で形成されている係止部材５は、ブロック基部５ａを有しており、ブロック基部５ａは、箱状体Ｃ１を構成する短側壁ｃ３に穿設された窓部ｃ３ａの幅ｄ４より、若干、狭い幅ｄ５を有する相対する短側面５ａ１と相対する長側面５ａ２とを有している。ブロック基部５ａの相対する短側面５ａ１のうち、一方の短側面５ａ１側の裏面の一端からは、下方に延在する係止凸条５ｂが、ブロック基部５ａの短側面５ａ１に沿って垂設されている。また、係止凸条５ｂが垂設されている短側面５ａ１と対向する短側面５ａ１付近に位置するブロック基部５ａの中央部に、ネジ孔５ｃが形成されている。なお、係止凸条５ｂの垂直端面５ｂ１とブロック基部５ａの一方の短側面５ａ１とは、略面一に形成されている。
【００３１】
６は、公知の圧着端子であり、圧着端子６は、軸方向に割り溝６ａ１が形成された略円筒状の圧着部６ａと、該圧着部６ａの一方の端面に連接された、透孔６ｂ１が穿設された板状の連結部６ｂとから構成されている。なお、７ａは、バネ座金であり、７ｂは、通常のリング座金である。
【００３２】
次に、同じく、図７及び図８を用いて、係止部材５や圧着端子６や外部ケーブルＷ等の組み立てについて説明する。
【００３３】
先ず最初に、圧着端子６の略円筒状の圧着部６ａに、外部ケーブルＷの先端部分の絶縁材からなる外被ｗ１を剥離することにより露出された導電線部分ｗ２を挿着し、その後、略円筒状の圧着部６ａを圧縮変形させることにより、外部ケーブルＷを、圧着端子６に取り付ける。次いで、バネ座金７ａ及びリング座金７ｂが、ネジ部ｓ１に挿入されたネジＳのネジ部ｓ１を、圧着端子６を構成する連結部６ｂの透孔６ｂ１に挿入し、その後、ネジＳのネジ部ｓ１を、係止部材５のブロック基部５ａに穿設されたネジ孔５ｃに螺合させることにより、図８に示されているように、係止部材５に、圧着端子６を介して、外部ケーブルＷを接続する。
【００３４】
次に、図１、図５及び図９〜図１４を用いて、上述したようにして組み立てられた状態の一対の導電板部材１と４つの角筒状リング金具２と４つのネジＳと適当な素子とからなる端子装置本体Ｔ１や規制板４の端子台本体Ｃへの収納等について説明する。
【００３５】
先ず最初に、端子装置本体Ｔ１を構成するフック部１ｃの下部水平板部１ｃ２の角筒状リング金具２の先端から突出している突出部１ｃ２’に、規制板４に穿設された嵌合スリット４ｃを嵌合させることにより、規制板４を、端子装置本体Ｔ１に取り付ける。この際、規制板４に形成された規制突起４ｂが、導電板部材１の水平板部１ａに形成された相対する切欠き１ａ２に挿入されるように構成されている。
【００３６】
次いで、規制板４が取り付けられた端子装置本体Ｔ１を、長側壁ｃ２に突設された垂直凸条ｃ２ａの短側壁ｃ３付近に位置する側面ｃ２ａ’と、短側壁ｃ３に形成された垂直板ｃ５の垂直先端縁ｃ５ａとにより形成された間隙に、規制板４が挿入されるように、箱状体Ｃ１の上部開口から．箱状体Ｃ１内に収納する。その後、箱状体Ｃ１を構成する長側壁ｃ２に形成された薄肉突片ｃ４に穿設された水平スリットｃ４ａに、蓋体Ｃ２を構成する長側壁ｃ１１に形成された水平嵌合凸条ｃ１１ａが嵌合するするように、蓋体Ｃ２を箱状体Ｃ１に被蓋させる。このようにして、図１０に示されているように、端子台本体Ｃ内部に、端子装置本体Ｔ１及び規制板４が収納されることになる。
【００３７】
次いで、圧着端子６を介して、外部ケーブルＷが接続されている係止部材５の係止凸条５ｂを、図１１に示されているように、箱状体Ｃ１の短側壁ｃ３に穿設された窓部ｃ３ａに付近に配置した後、係止部材５を、係止凸条５ｂを先にして、箱状体Ｃ１の短側壁ｃ３に穿設された窓部ｃ３ａに挿入するとともに、図１２に示されているように、係止部材５の係止凸条５ｂを、角筒状リング金具２の底部２ｂと規制板４との間に形成されている間隙ｄ６に挿着する。この状態においては、角筒状リング金具２の天部２ａに形成されたネジ孔２ａ１に螺合されているネジＳのネジ部ｓ１の下端は、導電板部材１の下部水平板部１ｃ２に載置されているとともに、導電板部材１の下部水平板部１ｃ２と角筒状リング金具２の底部２ｂとの間には、係止部材５が挿入可能な空間部Ｖ１が形成されている。
【００３８】
この状態から、ネジＳの頭部ｓ２の上方に穿設されている、蓋体Ｃ２の天部ｃ１０に穿設された透孔ｃ１０ｂに、図示されていないドライバーを挿入して、ネジＳを、角筒状リング金具２が上動する方向に回転させる。このように、角筒状リング金具２が上動する方向に、ネジＳを回転させて、角筒状リング金具２を上動させると、最終的には、図１３に示されているように、係止部材５のブロック基部５ａが、導電板部材１の下部水平板部１ｃ２と角筒状リング金具２の底部２ｂとにより、挟持されるとともに、係止部材５の係止凸条５ｂが、角筒状リング金具２の底部２ｂと規制板４との間に形成されている間隙ｄ６に挿着されることになる。
【００３９】
上述したようにして、端子装置本体Ｔ１が、箱状体Ｃ１と蓋体Ｃ２とからなる端子台本体Ｃ内に収納され、且つ、圧着端子６を介して、外部ケーブルＷが接続されている係止部材５が、端子装置本体Ｔ１を構成する導電板部材１に接続された際には、係止部材５のブロック基部５ａが、導電板部材１の下部水平板部１ｃ２と角筒状リング金具２とにより、挟持されているとともに、係止部材５の係止凸条５ｂが、角筒状リング金具２と規制板４との間に形成されている間隙ｄ６に挿着されるように構成されているので、外部ケーブルＷに、係止部材５を、端子装置本体Ｔ１から引き抜くような外力が加わっても、係止部材５の係止凸条５ｂが、角筒状リング金具２と規制板４との間に形成されている間隙ｄ６に挿着され、角筒状リング金具２に係止されているので、圧着端子６を介して、外部ケーブルＷが接続されている係止部材５が、端子装置本体Ｔ１から引き抜かれるようなことを確実に防止することができる。
【００４０】
なお、端子装置本体Ｔ１が、箱状体Ｃ１と蓋体Ｃ２とからなる端子台本体Ｃ内に収納され、且つ、圧着端子６を介して、外部ケーブルＷが接続されている係止部材５が、端子装置本体Ｔ１を構成する導電板部材１に接続された際には、係止部材５のブロック基部５ａが、導電板部材１の下部水平板部１ｃ２と角筒状リング金具２の底部２ｂとにより、挟持されているとともに、係止部材５の係止凸条５ｂが、角筒状リング金具２の先端垂直面２’に係止されていれば、外部ケーブルＷに、係止部材５を、端子装置本体Ｔ１から引き抜くような外力が加わっても、係止部材５の係止凸条５ｂが、角筒状リング金具２の先端垂直面２’に引っ掛かって、圧着端子６を介して、外部ケーブルＷが接続されている係止部材５が、端子装置本体Ｔ１から引き抜かれるようなことを防止することができる。従って、規制板４を、省略することができる。
【００４１】
圧着端子６を介して、外部ケーブルＷが接続されている係止部材５を、箱状体Ｃ１の短側壁ｃ３に穿設された窓部ｃ３ａに挿入する際に、係止部材５が、角筒状リング金具２に当接すると、導電板部材１の水平板部１ａに穿設された透孔１ａ１と該透孔１ａ１に挿入されたネジＳのネジ部ｓ１との間に存在する間隙、及び、該ネジＳのネジ部ｓ１と角筒状リング金具２の天部２ａに形成されたネジ孔２ａ１との間に存在する間隙により、角筒状リング金具２が、図１１において、矢印Ａ１に回動されることがある。このように、係止部材５が、角筒状リング金具２に当接した際に、角筒状リング金具２が、上方に上動するように旋回すると、導電板部材１の下部水平板部１ｃ２と角筒状リング金具２の底部２ｂとの間に形成された空間部Ｖ１が狭められ、係止部材５の空間部Ｖ１への挿入作業の作業性が低下することになる。しかしながら、上述したように、長側壁ｃ２突設された垂直凸条ｃ２ａの短側壁ｃ３付近に位置する側面ｃ２ａ’と、短側壁ｃ３に形成された垂直板ｃ５の垂直先端縁ｃ５ａとにより形成された間隙に、規制板４を配置し、長側壁ｃ２に突設された垂直凸条ｃ２ａの側面ｃ２ａ’と短側壁ｃ３に形成された垂直板ｃ５の垂直先端縁ｃ５ａとが、規制板４の両側面４ａ１に、それぞれ、当接、或いは、接近して位置するように構成することにより、係止部材５が、角筒状リング金具２に当接した際の角筒状リング金具２の旋回が規制されるので、空間部Ｖ１が狭まれるようなことがなく、従って、係止部材５の空間部Ｖ１への挿入作業の作業性が低下するようなことを防止することができる。
【００４２】
図１５〜図１７には、上述した端子装置本体Ｔ１の別の実施例の端子装置本体Ｔ２が示されている。
【００４３】
本実施例においては、上述した実施例における導電板部材１と異なる導電板部材１０が採用されている以外は、上述した実施例と、実質的に同じである。
【００４４】
導電板部材１０は、略水平な下部水平板部１０ａと、該下部水平板部１０ａの一端から、上方に延在する垂直板部１０ｂと、該垂直板部１０ｂの上端から、下部水平板部１０ａと反対側に水平方向に延在する上部水平板部１０ｃと、該上部水平板部１０ｃの先端から、下方に延在するとともに、その下端が、垂直板部１０ｂの中程まで延在する端部垂直板部１０ｄと、該端部垂直板部１０ｄの下端から、垂直板部１０ｂまで延在する中間水平板部１０ｅとから形成されている。また、上部水平板部１０ｃには、上述した実施例における導電板部材１の水平板部１ａに穿設された透孔１ａ１と同様の透孔１０ｃ１が穿設されている。
【００４５】
導電板部材１０には、上述した垂直板部１０ｂと上部水平板部１０ｃと端部垂直板部１０ｄと中間水平板部１０ｅとにより、側方が開放された空間部Ｖ２が形成されている。
【００４６】
本実施例においては、上述した実施例における角筒状リング金具２に代えて使用される分割角筒状リング金具２０は、上部分割金型部２０ａと下部分割金型部２０ｂとに分割されており、上部分割金型部２０ａと下部分割金型部２０ｂとは、上部分割金型部２０ａに形成された蟻２０ａ’と、下部分割金型部２０ｂに形成された蟻溝２０ｂ’とからなる公知の蟻継ぎにより、接合されるように構成されている。なお、このような蟻継ぎによる接合手段に代えて、接着剤や溶着等の適当な公知の接合手段により接合することもできる。
【００４７】
上述した導電板部材１０に形成された空間部Ｖ２に、分割角筒状リング金具２０を構成する上部分割金型部２０ａを挿入し、次いで、中間水平板部１０ｅの下方に、下部分割金型部２０ｂを配置し、その後、上部分割金型部２０ａと下部分割金型部２０ｂとを接合することにより、導電板部材１０の中間水平板部１０ｅが、分割角筒状リング金具２０内に位置するようにする。
【００４８】
上述した実施例と同様に、圧着端子６を介して、外部ケーブルＷが接続されている係止部材５を、箱状体Ｃ１の短側壁ｃ３に穿設された窓部ｃ３ａに挿入するとともに、係止部材５の係止凸条５ｂを、角筒状リング金具２０の先端垂直面２０’に係止する。その後、ネジＳの頭部ｓ２の上方に穿設されている、蓋体Ｃ２の天部ｃ１０に穿設された透孔ｃ１０ｂに、図示されていないドライバーを挿入して、ネジＳを、分割角筒状リング金具２０が上動する方向に回転させる。このように、分割角筒状リング金具２０が上動する方向に、ネジＳを回転させて、分割角筒状リング金具２０を上動させて、最終的には、図１７に示されているように、係止部材５のブロック基部５ａが、導電板部材１０の中間水平板部１０ｅと分割角筒状リング金具２０を構成する下部分割金型部２０ｂとにより、挟持されるとともに、係止部材５の係止凸条５ｂが、分割角筒状リング金具２０の先端垂直面２０’に係止されることになる。
【００４９】
本実施例においては、分割角筒状リング金具２０の先端垂直面２０’が、導電板部材１０を構成する垂直板部１０ｂに当接、或いは、接近して位置するように構成されているので、係止部材５が、分割角筒状リング金具２０に当接した際の分割角筒状リング金具２０の旋回が規制されるので、従って、導電板部材１０の中間水平板部１０ｅと分割角筒状リング金具２０の下部分割金型部２０ｂとの間に形成される、係止部材５が挿入可能な空間部Ｖ１への挿入作業の作業性が低下するようなことを防止することができる。
【００５０】
なお、上述した実施例においては、導電板部材１、１０に、フック部１ｃが、２個、形成されている例が示されているが、フック部１ｃを、１個或いは３個以上、形成することも。できる。
【図面の簡単な説明】
【００５１】
【図１】図１は、本発明の端子装置の分解斜視図である。
【図２】図２は、本発明の端子装置を構成する端子台本体の箱状体の斜視図である。
【図３】図３は、本発明の端子装置を構成する端子台本体の蓋体の斜視図であ。
【図４】図４は、本発明の端子装置を構成する端子装置本体の分解斜視図である。
【図５】図５は、本発明の端子装置を構成する端子装置本体の斜視図である。
【図６】図６は、本発明の端子装置を構成する規制板の斜視図であ。
【図７】図７は、本発明の端子装置を構成する係止部材や圧着端子や外部ケーブル等の分解斜視図である。
【図８】図８は、図７に示されている係止部材や圧着端子や外部ケーブル等が組み付けられた状態の斜視図である。
【図９】図９は、本発明の端子装置を構成する端子装置本体の斜視図である。
【図１０】図１０は、本発明の端子装置を構成する端子台本体に収納された端子装置本体の垂直断面図である。
【図１１】図１１は、本発明の端子装置を構成する端子台本体に収納された端子装置本体と圧着端子を介して外部ケーブルが接続されている係止部材との垂直断面を含む部分正面図である。
【図１２】図１２は、図１１と同様の垂直断面を含む部分正面図である。
【図１３】図１３は、図１１と同様の垂直断面を含む部分正面図である。
【図１４】図１４は、本発明の端子装置の垂直断面図である。
【図１５】図１５は、本発明の端子装置を構成する端子装置本体の別の実施例の斜視図である。
【図１６】図１６は、本発明の端子装置を構成する図１５に示されている端子装置本体及び圧着端子を介して外部ケーブルが接続されている係止部材との垂直断面を含む部分正面図である。
【図１７】図１７は、図１６と同様の垂直断面を含む部分正面図である。
【図１８】図１８は、従来の端子装置の図１７と同様の垂直断面を含む部分正面図である。
【符号の説明】
【００５２】
Ｃ・・・・・・・・・・・・端子台本体
Ｃ１・・・・・・・・・・・箱状体
Ｃ２・・・・・・・・・・・蓋体
Ｓ・・・・・・・・・・・・ネジ
Ｔ１、Ｔ２・・・・・・・・端子装置本体
Ｗ・・・・・・・・・・・・外部ケーブル
１、１０・・・・・・・・・導電板部材
２、２０・・・・・・・・・角筒状リング金具
４・・・・・・・・・・・・規制板
５・・・・・・・・・・・・係止部材
６・・・・・・・・・・・・圧着端子
【図１】
2009283166.tif 000003
【図２】
2009283166.tif 000004
【図３】
2009283166.tif 000005
【図４】
2009283166.tif 000006
【図５】
2009283166.tif 000007
【図６】
2009283166.tif 000008
【図７】
2009283166.tif 000009
【図８】
2009283166.tif 000010
【図９】
2009283166.tif 000011
【図１０】
2009283166.tif 000012
【図１１】
2009283166.tif 000013
【図１２】
2009283166.tif 000014
【図１３】
2009283166.tif 000015
【図１４】
2009283166.tif 000016
【図１５】
2009283166.tif 000017
【図１６】
2009283166.tif 000018
【図１７】
2009283166.tif 000019
【図１８】
2009283166.tif 000020